(57)【要約】【課題】本発明は照明多様化のヘルメットを開示した。【解決手段】本発明は照明多様化のヘルメットを公示し、ヘルメットを含み、前記ヘルメットの上端には弓形ブロックが固定的に設置され、前記弓形ブロックの中にはスライド装置が設置され、前記弓形ブロックの外周弧面には装着ブロックがスライド可能に設置され、前記装着ブロックの右側には照明ブロックが設置され、前記装着ブロックと前記照明ブロックとの中には切替装置が設置され、前記装着ブロックと前記照明ブロックとの間には装着装置が設置され、前記スライド装置は前記装着ブロックと前記照明ブロックとの移動を連動させることができ、前記装着装置を通じて前記照明ブロックを取り外して懐中電灯として使用できる。【選択図】図１
2020183597.tif 000002
【特許請求の範囲】
【請求項１】
正面視で、ヘルメットを含み、前記ヘルメットの上端には弓形ブロックが固定的に設置され、前記弓形ブロックの中にはスライド装置が設置され、前記弓形ブロックの外周弧面には装着ブロックがスライド可能に設置され、前記装着ブロックの右側には照明ブロックが設置され、前記装着ブロックと前記照明ブロックとの中には切替装置が設置され、前記装着ブロックと前記照明ブロックとの間には装着装置が設置され、前記スライド装置は前記装着ブロックと前記照明ブロックとの移動を連動させることができ、前記照明ブロックが右端にある時に、光線は一直線であり、前記照明ブロックが頂端にある時に、光線は広範囲に広げられ、前記装着装置を通じて前記照明ブロックを取り外して懐中電灯として使用でき、前記スライド装置は前記弓形ブロックの中に設置されたスライドレールを含み、前記スライドレールの上側には外部と連通したガイドスライドチャンバが連通するように設置され、前記スライドレールの下壁にはスライド板がスライド可能に設置され、前記スライド板の上側には前記スライドレールの上壁にスライド可能に連結されたスライドブロックが設置され、前記スライドブロックの中には前記スライド板に向いて開口した伸縮チャンバが設置され、前記スライド板の上端には前記伸縮チャンバの内壁にスライド可能に連結された伸縮ブロックが固定的に設置され、前記伸縮ブロックの上端と前記伸縮チャンバの上壁との間には耐圧ばねが固定的に連結され、前記伸縮ブロックのうち前記スライド板から離れた端には付勢棒が固定的に連結され、前記スライドブロックのうち前記スライド板から離れた端にはガイドスライドブロックが固定的に連結され、前記ガイドスライドブロックは前記ガイドスライドチャンバを貫通しており、前記装着ブロックは前記ガイドスライドブロックが外部に伸びた端に固定的に連結され、前記スライドレールの下壁の中において頂部に近接した位置には突出ブロックが固定的に設置され、
前記スライド板が前記突出ブロックの上側にスライドした時に、前記切替装置を連動させて、前記切替装置が切り替えを行われることを特徴とする照明多様化のヘルメット。
【請求項２】
前記装着装置は右方に開口した装着チャンバを含み、前記装着チャンバは前記装着ブロックの中に設置され、前記照明ブロックの左端と前記装着チャンバの内壁とはスライド可能に連結され、前記装着チャンバの上下壁の中には引掛り溝が対称的に、且つ連通するように設置され、前記照明ブロックの中にはプッシュチャンバが上下対称に設置され、前記プッシュチャンバの中にはプッシュ板がスライド可能に設置され、前記プッシュ板のうち中心に近接した端と前記プッシュチャンバの内壁との間にはプッシュばねが固定的に連結され、前記プッシュ板の左端には引掛り棒が固定的に連結され、前記引掛り棒と前記引掛り溝とはスライド可能に連結され、前記プッシュ板の右端には圧迫棒が固定的に連結され、前記プッシュチャンバの上側には圧迫ブロックチャンバが連通するように設置され、前記プッシュチャンバのうち対称中心から離れた側には外部に開口した圧迫ブロックが設置され、前記圧迫棒の一端は前記圧迫ブロックチャンバの中に位置しており、且つ圧迫ブロックと固定的に連結され、
前記圧迫ブロックを押し、前記引掛り棒を前記引掛り溝の外まで移動連動させることで、取り外しが可能となることを特徴とする請求項１に記載の照明多様化のヘルメット。
【請求項３】
前記切替装置は前記装着ブロックの中に設置された空きチャンバを含み、前記付勢棒のうち前記伸縮ブロックから離れた端は前記空きチャンバの中に伸びており、前記空きチャンバの右側には前記装着チャンバに連通した開口が連通するように設置され、前記照明ブロックの中の中間には復位チャンバが設置され、前記復位チャンバの中には復位板がスライド可能に設置され、前記復位板の左端には固定棒が固定的に連結され、前記固定棒の左端は前記開口を貫通して前記空きチャンバの中に伸びており、さらに前記固定棒の左端は前記付勢棒と斜面によって当接しており、前記復位板の右端と前記復位チャンバの右壁との間には復位ばねが固定的に連結され、前記復位板の右側端面の上下両端には押し棒が対称的に、且つ固定的に設置され、前記復位チャンバの右側には右方に開口した照明チャンバが設置され、前記照明チャンバの中にはてこが上下対称に、且つ回転可能に設置され、前記押し棒の右端は前記てこの左端にヒンジで連結され、前記照明ブロックの右端にはガラスカバーが固定的に設置され、前記ガラスカバーの中には遮光リングがスライド可能に設置され、前記遮光リングの内周円面の上下両端には固定ブロックが対称的に、且つ固定的に設置され、前記固定ブロックの中には直線スライド溝が前後に貫通するように設置され、前記てこの右端には前記直線スライド溝を貫通したスライド棒が固定的に設置され、前記照明チャンバの左壁の中間位置には灯台が固定的に設置され、前記灯台の右端には電球が固定的に設置され、
前記遮光リングは前記ガラスカバーの中に位置しており、光線を右にしか照射できないようにし、前記遮光リングが前記照明チャンバの中にスライドした時に、光線は周囲を照らすことができることを特徴とする請求項１に記載の照明多様化のヘルメット。
【発明の詳細な説明】
【技術分野】
【０００１】
本発明は安全防護技術分野を取り上げ、具体的には照明多様化のヘルメットである。
【背景技術】
【０００２】
照明ヘルメットは安全を確保すると同時に、両手を解放して照明を行え、非常に便利である。しかし、既存する照明ヘルメットの中、一部はそのまま照明灯をヘルメットに固定的に取り付け、一部は紐で照明灯をヘルメットに結びつける。そして両者とも直線照明しかできないため、時には視界が狭くなることを招き、危険性が増す。また、紐で結びつけた照明灯は取り外しが面倒で、ヘルメットを外してから取り外ししかできなく、さらに危険である。そのため、照明多様化のヘルメットの設計は必要となる。本装置は直線照明と範囲照明とを行われ、また、ヘルメットを外さずに、素早く照明灯を取り外し、懐中電灯として使用でき、操作は簡単で迅速であり、作業員にさらなる便利を与えられる。
【先行技術文献】
【特許文献】
【０００３】
【特許文献１】中国特許出願公開第１０６９４２８１８号明細書
【発明の概要】
【発明が解決しようとする課題】
【０００４】
本発明は照明多様化のヘルメットを提供し、既存技術にある上記の欠点を解消することを目的とする。
【課題を解決するための手段】
【０００５】
本発明の照明多様化のヘルメットは、ヘルメットを含み、前記ヘルメットの上端には弓形ブロックが固定的に設置され、前記弓形ブロックの中にはスライド装置が設置され、前記弓形ブロックの外周弧面には装着ブロックがスライド可能に設置され、前記装着ブロックの右側には照明ブロックが設置され、前記装着ブロックと前記照明ブロックとの中には切替装置が設置され、前記装着ブロックと前記照明ブロックとの間には装着装置が設置され、前記スライド装置は前記装着ブロックと前記照明ブロックとの移動を連動させることができ、前記照明ブロックが右端にある時に、光線は一直線であり、前記照明ブロックが頂端にある時に、光線は広範囲に広げられ、前記装着装置を通じて前記照明ブロックを取り外して懐中電灯として使用でき、前記スライド装置は前記弓形ブロックの中に設置されたスライドレールを含み、前記スライドレールの上側には外部と連通したガイドスライドチャンバが連通するように設置され、前記スライドレールの下壁にはスライド板がスライド可能に設置され、前記スライド板の上側には前記スライドレールの上壁にスライド可能に連結されたスライドブロックが設置され、前記スライドブロックの中には前記スライド板に向いて開口した伸縮チャンバが設置され、前記スライド板の上端には前記伸縮チャンバの内壁にスライド可能に連結された伸縮ブロックが固定的に設置され、前記伸縮ブロックの上端と前記伸縮チャンバの上壁との間には耐圧ばねが固定的に連結され、前記伸縮ブロックのうち前記スライド板から離れた端には付勢棒が固定的に連結され、前記スライドブロックのうち前記スライド板から離れた端にはガイドスライドブロックが固定的に連結され、前記ガイドスライドブロックは前記ガイドスライドチャンバを貫通しており、前記装着ブロックは前記ガイドスライドブロックが外部に伸びた端に固定的に連結され、前記スライドレールの下壁の中において頂部に近接した位置には突出ブロックが固定的に設置され、
前記スライド板が前記突出ブロックの上側にスライドした時に、前記切替装置を連動させて、前記切替装置が切り替えを行われる。
【０００６】
さらなる技術プランとして、前記装着装置は右方に開口した装着チャンバを含み、前記装着チャンバは前記装着ブロックの中に設置され、前記照明ブロックの左端と前記装着チャンバの内壁とはスライド可能に連結され、前記装着チャンバの上下壁の中には引掛り溝が対称的に、且つ連通するように設置され、前記照明ブロックの中にはプッシュチャンバが上下対称に設置され、前記プッシュチャンバの中にはプッシュ板がスライド可能に設置され、前記プッシュ板のうち中心に近接した端と前記プッシュチャンバの内壁との間にはプッシュばねが固定的に連結され、前記プッシュ板の左端には引掛り棒が固定的に連結され、前記引掛り棒と前記引掛り溝とはスライド可能に連結され、前記プッシュ板の右端には圧迫棒が固定的に連結され、前記プッシュチャンバの上側には圧迫ブロックチャンバが連通するように設置され、前記プッシュチャンバのうち対称中心から離れた側には外部に開口した圧迫ブロックが設置され、前記圧迫棒の一端は前記圧迫ブロックチャンバの中に位置しており、且つ圧迫ブロックと固定的に連結され、
前記圧迫ブロックを押し、前記引掛り棒を前記引掛り溝の外まで移動連動させることで、取り外しが可能となる。
【０００７】
さらなる技術プランとして、前記切替装置は前記装着ブロックの中に設置された空きチャンバを含み、前記付勢棒のうち前記伸縮ブロックから離れた端は前記空きチャンバの中に伸びており、前記空きチャンバの右側には前記装着チャンバに連通した開口が連通するように設置され、前記照明ブロックの中の中間には復位チャンバが設置され、前記復位チャンバの中には復位板がスライド可能に設置され、前記復位板の左端には固定棒が固定的に連結され、前記固定棒の左端は前記開口を貫通して前記空きチャンバの中に伸びており、さらに前記固定棒の左端は前記付勢棒と斜面によって当接しており、前記復位板の右端と前記復位チャンバの右壁との間には復位ばねが固定的に連結され、前記復位板の右側端面の上下両端には押し棒が対称的に、且つ固定的に設置され、前記復位チャンバの右側には右方に開口した照明チャンバが設置され、前記照明チャンバの中にはてこが上下対称に、且つ回転可能に設置され、前記押し棒の右端は前記てこの左端にヒンジで連結され、前記照明ブロックの右端にはガラスカバーが固定的に設置され、前記ガラスカバーの中には遮光リングがスライド可能に設置され、前記遮光リングの内周円面の上下両端には固定ブロックが対称的に、且つ固定的に設置され、前記固定ブロックの中には直線スライド溝が前後に貫通するように設置され、前記てこの右端には前記直線スライド溝を貫通したスライド棒が固定的に設置され、前記照明チャンバの左壁の中間位置には灯台が固定的に設置され、前記灯台の右端には電球が固定的に設置され、
前記遮光リングは前記ガラスカバーの中に位置しており、光線を右にしか照射できないようにし、前記遮光リングが前記照明チャンバの中にスライドした時に、光線は周囲を照らすことができる。
【発明の効果】
【０００８】
本発明の有益な効果は：本発明はシンプルな構成と簡単な操作方法を有し、本装置を通じて状況に合わせ直線照明又は範囲照明を選べ、また、照明ブロックを取り外して懐中電灯として利用でき、取り付けと取り外しは便利であり、作業員の需要を満たす。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の照明多様化のヘルメットの内部全体構成略図
【図２】図２は図１におけるＡの拡大略図
【図３】図３は図２におけるＢの拡大略図
【図４】図４は図２におけるＣ―Ｃ方向からの構成略図
【発明を実施するための形態】
【００１１】
図１〜４を参照し、本発明の照明多様化のヘルメットは、ヘルメット１１を含み、前記ヘルメット１１の上端には弓形ブロック１２が固定的に設置され、前記弓形ブロック１２の中にはスライド装置１０１が設置され、前記弓形ブロック１２の外周弧面には装着ブロック１３がスライド可能に設置され、前記装着ブロック１３の右側には照明ブロック１４が設置され、前記装着ブロック１３と前記照明ブロック１４との中には切替装置１０２が設置され、前記装着ブロック１３と前記照明ブロック１４との間には装着装置１０３が設置され、前記スライド装置１０１は前記装着ブロック１３と前記照明ブロック１４との移動を連動させることができ、前記照明ブロック１４が右端にある時に、光線は一直線であり、前記照明ブロック１４が頂端にある時に、光線は広範囲に広げられ、前記装着装置１０３を通じて前記照明ブロック１４を取り外して懐中電灯として使用でき、前記スライド装置１０１は前記弓形ブロック１２の中に設置されたスライドレール１５を含み、前記スライドレール１５の上側には外部と連通したガイドスライドチャンバ１６が連通するように設置され、前記スライドレール１５の下壁にはスライド板１７がスライド可能に設置され、前記スライド板１７の上側には前記スライドレール１５の上壁にスライド可能に連結されたスライドブロック１８が設置され、前記スライドブロック１８の中には前記スライド板１７に向いて開口した伸縮チャンバ１９が設置され、前記スライド板１７の上端には前記伸縮チャンバ１９の内壁にスライド可能に連結された伸縮ブロック２０が固定的に設置され、前記伸縮ブロック２０の上端と前記伸縮チャンバ１９の上壁との間には耐圧ばね２１が固定的に連結され、前記伸縮ブロック２０のうち前記スライド板１７から離れた端には付勢棒２２が固定的に連結され、前記スライドブロック１８のうち前記スライド板１７から離れた端にはガイドスライドブロック２３が固定的に連結され、前記ガイドスライドブロック２３は前記ガイドスライドチャンバ１６を貫通しており、前記装着ブロック１３は前記ガイドスライドブロック２３が外部に伸びた端に固定的に連結され、前記スライドレール１５の下壁の中において頂部に近接した位置には突出ブロック２４が固定的に設置され、
前記スライド板１７が前記突出ブロック２４の上側にスライドした時に、前記切替装置１０２を連動させて、前記切替装置１０２が切り替えを行われる。
【００１２】
好ましくは、前記装着装置１０３は右方に開口した装着チャンバ２５を含み、前記装着チャンバ２５は前記装着ブロック１３の中に設置され、前記照明ブロック１４の左端と前記装着チャンバ２５の内壁とはスライド可能に連結され、前記装着チャンバ２５の上下壁の中には引掛り溝２６が対称的に、且つ連通するように設置され、前記照明ブロック１４の中にはプッシュチャンバ２７が上下対称に設置され、前記プッシュチャンバ２７の中にはプッシュ板２８がスライド可能に設置され、前記プッシュ板２８のうち中心に近接した端と前記プッシュチャンバ２７の内壁との間にはプッシュばね２９が固定的に連結され、前記プッシュ板２８の左端には引掛り棒３０が固定的に連結され、前記引掛り棒３０と前記引掛り溝２６とはスライド可能に連結され、前記プッシュ板２８の右端には圧迫棒３１が固定的に連結され、前記プッシュチャンバ２７の上側には圧迫ブロックチャンバ３２が連通するように設置され、前記プッシュチャンバ２７のうち対称中心から離れた側には外部に開口した圧迫ブロック３２が設置され、前記圧迫棒３１の一端は前記圧迫ブロックチャンバ３２の中に位置しており、且つ圧迫ブロック３３と固定的に連結され、
前記圧迫ブロック３３を押し、前記引掛り棒３０を前記引掛り溝２６の外まで移動連動させることで、取り外しが可能となる。
【００１３】
好ましくは、前記切替装置１０２は前記装着ブロック１３の中に設置された空きチャンバ３４を含み、前記付勢棒２２のうち前記伸縮ブロック２０から離れた端は前記空きチャンバ３４の中に伸びており、前記空きチャンバ３４の右側には前記装着チャンバ２５に連通した開口３５が連通するように設置され、前記照明ブロック１４の中の中間には復位チャンバ３６が設置され、前記復位チャンバ３６の中には復位板３７がスライド可能に設置され、前記復位板３７の左端には固定棒３８が固定的に連結され、前記固定棒３８の左端は前記開口３５を貫通して前記空きチャンバ３４の中に伸びており、さらに前記固定棒３８の左端は前記付勢棒２２と斜面によって当接しており、前記復位板３７の右端と前記復位チャンバ３６の右壁との間には復位ばね３９が固定的に連結され、前記復位板３７の右側端面の上下両端には押し棒４０が対称的に、且つ固定的に設置され、前記復位チャンバ３６の右側には右方に開口した照明チャンバ４１が設置され、前記照明チャンバ４１の中にはてこ４２が上下対称に、且つ回転可能に設置され、前記押し棒４０の右端は前記てこ４２の左端にヒンジで連結され、前記照明ブロック１４の右端にはガラスカバー４９が固定的に設置され、前記ガラスカバー４９の中には遮光リング４３がスライド可能に設置され、前記遮光リング４３の内周円面の上下両端には固定ブロック４４が対称的に、且つ固定的に設置され、前記固定ブロック４４の中には直線スライド溝４５が前後に貫通するように設置され、前記てこ４２の右端には前記直線スライド溝４５を貫通したスライド棒４６が固定的に設置され、前記照明チャンバ４１の左壁の中間位置には灯台４７が固定的に設置され、前記灯台４７の右端には電球４８が固定的に設置され、
前記遮光リング４３は前記ガラスカバー４９の中に位置しており、光線を右にしか照射できないようにし、前記遮光リング４３が前記照明チャンバ４１の中にスライドした時に、光線は周囲を照らすことができる。
【００１４】
初期状態では、装着ブロック１３と照明ブロック１４とは右端に位置しており、遮光リング４３はガラスカバー４９の中に位置している。  
【００１５】
照明する時に、直線光線が必要の時に、直接電球４８をつけば良いのであり、広範囲を照らしたい時に、装着ブロック１３を押し動かし、照明ブロック１４を頂端まで移動連動させ、この時、スライド板１７は突出ブロック２４の上側にスライドし、且つ上昇し、伸縮ブロック２０は付勢棒２２を上に移動連動させ、且つ付勢棒２２に固定棒３８を突き動かさせ、この時、復位板３７は押し棒４０によっててこ４２を反転連動させ、てこ４２のうち灯台４７に近接した端は内側に反転し、且つてこ４２の他端は外側に反転し、スライド棒４６によって固定ブロック４４と遮光リング４３とを照明チャンバ４１の中にスライド連動させ、この時、電球４８をつけば周囲を照らせ、
頭部につけて照明が不便になる時に、引掛り棒３０を内側に押し、圧迫棒３１によってプッシュ板２８を復位チャンバ３６に近接した方向に移動連動させ、且つプッシュ板２８に引掛り棒３０を移動連動させ、引掛り棒３０を引掛り溝２６から離脱させ、この時、照明ブロック１４を取り外し、懐中電灯として照明を行われる。
【００１６】
本発明の有益な効果は：本発明はシンプルな構成と簡単な操作方法を有し、本装置を通じて状況に合わせ直線照明又は範囲照明を選べ、また、照明ブロックを取り外して懐中電灯として利用でき、取り付けと取り外しは便利であり、作業員の需要を満たす。
【００１７】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020183597.tif 000003
【図２】
2020183597.tif 000004
【図３】
2020183597.tif 000005
【図４】
2020183597.tif 000006
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
正面視で、ヘルメットを含み、前記ヘルメットの上端には弓形ブロックが固定的に設置され、前記弓形ブロックの中にはスライド装置が設置され、前記弓形ブロックの外周弧面には装着ブロックがスライド可能に設置され、前記装着ブロックの右側には照明ブロックが設置され、前記装着ブロックと前記照明ブロックとの中には切替装置が設置され、前記装着ブロックと前記照明ブロックとの間には装着装置が設置され、前記スライド装置は前記装着ブロックと前記照明ブロックとの移動を連動させることができ、前記照明ブロックが右端にある時に、光線は一直線であり、前記照明ブロックが頂端にある時に、光線は広範囲に広げられ、前記装着装置を通じて前記照明ブロックを取り外して懐中電灯として使用でき、前記スライド装置は前記弓形ブロックの中に設置されたスライドレールを含み、前記スライドレールの上側には外部と連通したガイドスライドチャンバが連通するように設置され、前記スライドレールの下壁にはスライド板がスライド可能に設置され、前記スライド板の上側には前記スライドレールの上壁にスライド可能に連結されたスライドブロックが設置され、前記スライドブロックの中には前記スライド板に向いて開口した伸縮チャンバが設置され、前記スライド板の上端には前記伸縮チャンバの内壁にスライド可能に連結された伸縮ブロックが固定的に設置され、前記伸縮ブロックの上端と前記伸縮チャンバの上壁との間には耐圧ばねが固定的に連結され、前記伸縮ブロックのうち前記スライド板から離れた端には付勢棒が固定的に連結され、前記スライドブロックのうち前記スライド板から離れた端にはガイドスライドブロックが固定的に連結され、前記ガイドスライドブロックは前記ガイドスライドチャンバを貫通しており、前記装着ブロックは前記ガイドスライドブロックが外部に伸びた端に固定的に連結され、前記スライドレールの下壁の中において頂部に近接した位置には突出ブロックが固定的に設置され、
前記スライド板が前記突出ブロックの上側にスライドした時に、前記切替装置を連動させて、前記切替装置が切り替えを行われ、
前記装着装置は右方に開口した装着チャンバを含み、前記装着チャンバは前記装着ブロックの中に設置され、前記照明ブロックの左端と前記装着チャンバの内壁とはスライド可能に連結され、前記装着チャンバの上下壁の中には引掛り溝が対称的に、且つ連通するように設置され、前記照明ブロックの中にはプッシュチャンバが上下対称に設置され、前記プッシュチャンバの中にはプッシュ板がスライド可能に設置され、前記プッシュ板のうち中心に近接した端と前記プッシュチャンバの内壁との間にはプッシュばねが固定的に連結され、前記プッシュ板の左端には引掛り棒が固定的に連結され、前記引掛り棒と前記引掛り溝とはスライド可能に連結され、前記プッシュ板の右端には圧迫棒が固定的に連結され、前記プッシュチャンバの上側には圧迫ブロックチャンバが連通するように設置され、前記プッシュチャンバのうち対称中心から離れた側には外部に開口した圧迫ブロックが設置され、前記圧迫棒の一端は前記圧迫ブロックチャンバの中に位置しており、且つ圧迫ブロックと固定的に連結され、
前記圧迫ブロックを押し、前記引掛り棒を前記引掛り溝の外まで移動連動させることで、取り外しが可能となり、
前記切替装置は前記装着ブロックの中に設置された空きチャンバを含み、前記付勢棒のうち前記伸縮ブロックから離れた端は前記空きチャンバの中に伸びており、前記空きチャンバの右側には前記装着チャンバに連通した開口が連通するように設置され、前記照明ブロックの中の中間には復位チャンバが設置され、前記復位チャンバの中には復位板がスライド可能に設置され、前記復位板の左端には固定棒が固定的に連結され、前記固定棒の左端は前記開口を貫通して前記空きチャンバの中に伸びており、さらに前記固定棒の左端は前記付勢棒と斜面によって当接しており、前記復位板の右端と前記復位チャンバの右壁との間には復位ばねが固定的に連結され、前記復位板の右側端面の上下両端には押し棒が対称的に、且つ固定的に設置され、前記復位チャンバの右側には右方に開口した照明チャンバが設置され、前記照明チャンバの中にはてこが上下対称に、且つ回転可能に設置され、前記押し棒の右端は前記てこの左端にヒンジで連結され、前記照明ブロックの右端にはガラスカバーが固定的に設置され、前記ガラスカバーの中には遮光リングがスライド可能に設置され、前記遮光リングの内周円面の上下両端には固定ブロックが対称的に、且つ固定的に設置され、前記固定ブロックの中には直線スライド溝が前後に貫通するように設置され、前記てこの右端には前記直線スライド溝を貫通したスライド棒が固定的に設置され、前記照明チャンバの左壁の中間位置には灯台が固定的に設置され、前記灯台の右端には電球が固定的に設置され、
前記遮光リングは前記ガラスカバーの中に位置しており、光線を右にしか照射できないようにし、前記遮光リングが前記照明チャンバの中にスライドした時に、光線は周囲を照らすことができることを特徴とする照明多様化のヘルメット。